(57)【要約】【課題】弁構造が抵抗を少なくする形に実現できて、ヒトの心臓の機能を再現でき、ヒト、患者の心臓や人工心臓において血液を血流の順方向流れになして流し、血液の逆流を防ぎ、そして、心臓の生理的機能を保つところにある。【解決手段】有機質材料から成形される短筒形弁本体１１と、その弁本体１１の先端部分１８に互いに向かい合った一対の谷折り２０、２０をつけてすぼみと復元を繰り返し可能にする弁膜１２である。【選択図】図１
2019181112.tif 000002
【特許請求の範囲】
【請求項１】
有機質材料から成形される短筒形弁本体と、
その弁本体の先端部分に互いに向かい合った一対の谷折りを付けてすぼめと復元を繰り返し可能にする弁膜とを含む人工心臓弁。
【請求項２】
その弁本体が、その先端部分を適宜に細くするところの径違い短筒形をなす請求項１に記載の人工心臓弁。
【発明の詳細な説明】
【技術分野】
【０００１】  この発明は、人工心臓弁に関し、詳細には、人工心臓や人の心臓、静脈などに用いるすぼみ弁に関する。
【背景技術】
【０００２】  これまで、樹脂材料製弁や生体材料製弁が開発され、心臓弁膜症患者の心臓に移植され、活用されてきた。
それらの弁は、ヒトの心臓の三尖弁（右房室弁）、肺動脈弁、僧帽弁（左房室弁）、大動脈弁を再現する構造を採るので、人工心臓には、構造がシンプルであるのが望ましい。勿論、ヒトの心臓においても同様であろう。
【先行技術文献】
【特許文献】
【０００３】  （非）特許文献ｎ
【発明の概要】
【発明が解決しようとする課題】
【０００４】  この発明の課題は、弁構造が抵抗を少なくするシンプルな形に実現され、ヒトの心臓弁の機能が再現され、ヒト、患者の心臓や人工心臓において血液が血流の順方向流れになって流れて血液の逆流が防がれ、心臓の生理的機能が保たれ、そして、その患者の心臓にもその人工心臓にも活用でき、特に、その患者の心臓を温存し、体内に残して活用される人工心臓に最適でその種の人工心臓の開発・具現を促進させる人工心臓弁を提供するところにある。
【課題を解決するための手段】
【０００５】  この発明の人工心臓弁は、有機質材料から成形される短筒形弁本体と、その弁本体の先端部分に互いに向かい合った一対の谷折りを付けてすぼめと復元を繰り返し可能にする弁膜とを含む構造を採る。
【発明の効果】
【０００６】  この発明の人工心臓弁では、弁構造が抵抗を少なくするシンプルな構造に実現され、ヒトの心臓弁の機能が再現され、ヒト、患者の心臓や人工心臓において血液が血流の順方向流れになって流れ、血流の逆流が防がれ、心臓の生理的機能が保たれ、そして、患者の心臓にも人工心臓にも活用でき、特に、患者の心臓を温存し、体内に残して活用する人工心臓に最適でその種の人工心臓の開発・具現を一層促進させ、また、成形が簡単かつ容易でコストが低減されて移植に適し、その結果、心臓弁膜症による血流障害を起こした患者や心不全症、心筋症、先天性心疾患などの患者にとって実用になって有用である。
【図面の簡単な説明】
【０００７】
【図１】血流障害を起こした患者の心臓や人工心臓に活用されるこの発明の人工心臓弁の具体例を復元状態で示した斜視図である。
【図２】図１の人工心臓弁を示した正面図である。
【図３】図１の人工心臓弁をすぼまり状態で示した斜視図である。
【図４】図３の人工心臓弁を示した正面図である。
【発明を実施するための形態】
【０００８】  この発明の人工心臓弁は、有機質材料から成形される短筒形弁本体と、その弁本体の先端部分に互いに向かい合った一対の谷折りを付けてすぼめと復元を繰り返し可能にする弁膜とを含む。
【実施例１】
【０００９】  以下、特定されて図示された具体例に基づいて、この発明の人工心臓弁を説明するに、図１ないし４は、心臓弁膜症による血流障害を起こした患者の心臓や人工心臓に活用するところのこの発明の人工心臓弁の具体例１０を示し、そして、この人工心臓弁１０は、有機質材料から成形される短筒形弁本体１１と、その弁本体１１の先端部分１７に互いに向かい合った一対の谷折り２０、２０を付けてすぼめと復元を繰り返し可能にする弁膜１２とを含む構造を採る。【００１０】  この人工心臓弁１０は、その短筒形弁本体１１とその弁膜１２が、型の復元状態の弁形空間に有機質材料、樹脂、合成ゴムなどを注入するなり、流し込んで図１に示す復元形状、すなわち、先端開口１６を開いた状態に一対の谷折り２０、２０を付けた形に一体的に成形される。【００１１】  そして、この人工心臓弁１０は、その人工心臓において右左心房および心室セルの大静脈口、右房室口、肺動脈口、肺静脈口、左房室口、大動脈口のそれぞれに根元開口１５を合わせ、血流の順方向に位置決めをなしてその弁本体１１の根元端１３を縫い付け、そして、活用される。勿論、その弁本体１１の根元部分１７は縫い代程度に短くするのが望ましい。また、この人工心臓弁１０は、リングがその根元端１３に一体的に取り付けられると、そのリングで縫い付けが簡単で容易になる。
同様に、この人工心臓弁１０は患者の心臓に活用される。
さらに、その弁本体１１は、その先端部分１８がその根元部分１７よりも適宜に細くなるところの径違い短筒形に具体化可能である。その場合、血液は、より血流の順方向流れになる。【００１２】  次に、その人工心臓弁１０の動作について説明する。
この人工心臓弁１０は、その右左心房および心室セルの収縮期、セル内では血液の圧力が高められてその先端部分１８の外側面１９に作用するので、その弁膜１２は、その大静脈口、右房室口、肺静脈口、および左房室口それぞれにおいて図３および４に示すように折り畳まれてすぼまり、そして、血液の逆流を防ぎ、また、その肺動脈口においては血液がその右心室セルから肺動脈へ送り出されて肺循環されるので、図１および２に示すように復元されて開かれ、同時に、その大動脈口においては血液がその左心室セルから大動脈へ送り出されるので、図１および２に示すように復元されて開かれる。【００１３】  また、この人工心臓弁１０は、それらセルの拡張期、血液がその大静脈口、右房室口、肺静脈口、および左房室口それぞれにおいて弁内を通ってその右心房セル、右心室セル、左心房セル、左心室セルそれぞれに流れるので、その弁膜１２は、図１および２に示すように復元されて開かれ、血液が血流の順方向流れになってそれらセルそれぞれの内に流れ込み、また、その肺動脈口においては図３および４に示すように肺動脈の血液の圧力で折り畳まれ、すぼまって閉じられ、血液の逆流を防ぎ、同時に、大動脈口においては図３および４に示すように大動脈の血液の圧力で折り畳まれ、すぼまって閉じられ、そして、血液の逆流を防ぐ。【００１４】  したがって、この人工心臓弁１０では、弁構造が抵抗を少なくするシンプルな形に実現され、ヒトの心臓弁の機能が再現され、ヒト、患者の心臓や人工心臓において血液が血流の順方向流れになって流れ、血液の逆流が防がれ、心臓の生理的機能が保たれ、そして、患者の心臓にも人工心臓にも活用でき、特に、患者の心臓を温存し、体内に残して活用する人工心臓に最適でその種の人工心臓の開発・具現を一層促進させ、また、成形が簡単かつ容易でコストが低減されて移植に適し、その結果、心臓弁膜症による血流障害を起こした患者や心不全症、心筋症、先天性心疾患などの患者にとって実用になって有用である。【００１５】  先に図面を参照して説明されたところのこの発明の特定された具体例から明らかであるように、この発明の属する技術の分野における通常の知識を有する者（ａ  ｐｅｒｓｏｎ  ｈａｖｉｎｇ  ｏｒｄｉｎａｒｙ  ｓｋｉｌｌ  ｉｎ  ｔｈｅ  ａｒｔ、しかし、ａｎｙ  ｐｅｒｓｏｎ  ｓｋｉｌｌｅｄ  ｉｎ  ｔｈｅ  ａｒｔではなくて）にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１６】  上述から理解されるように、この発明の人工心臓弁は、有機質材料から成形される短筒形弁本体と、その弁本体の先端部分に互いに向かい合った一対の谷折りを付けてすぼめと復元を繰り返し可能にする弁膜とを含む構造を採るので、弁構造が抵抗を少なくするシンプルな形に実現され、ヒトの心臓弁の機能が再現され、ヒト、患者の心臓や人工心臓において血液が血流の順方向流れになって流れ、血液の逆流が防がれ、心臓の生理的機能が保たれ、そして、患者の心臓にも人工心臓にも活用でき、特に、患者の心臓を温存し、体内に残して活用する人工心臓に最適でその種の人工心臓の開発・具現を一層促進させ、また、成形が簡単かつ容易でコストが低減されて移植に適し、その結果、心臓弁膜症による血流障害を起こした患者や心不全症、心筋症、先天性心疾患などの患者にとって実用になって有用である。
【符号の説明】
【００１７】  １０  人工心臓弁
１１  短筒形弁本体
１２  弁膜
１３  根元端
１４  先端
１５  根元開口
１６  先端開口
１７  根元部分
１８  先端部分
１９  外側面
２０  谷折り
【図１】
2019181112.tif 000003
【図２】
2019181112.tif 000004
【図３】
2019181112.tif 000005
【図４】
2019181112.tif 000006